(57)【要約】【課題】特許文献１に記載のように、トレー状容器に凹凸を設けるには真空金型成型加工において、複雑な形状に加工する必要があり、コスト面で不利となっている。【解決手段】本発明は、透明樹脂からなる包装袋と腰のある樹脂板との組み合わせからなる包装体であって、該樹脂板の少なくとも一個の所定箇所に凹部を設け、該凹部に円柱状物品を収納すると共に、包装袋内で同物品の円周方向の位置決めを行い、該樹脂板を包装袋内に変形挿入させ円柱状物品を把持包装することを特徴とする物品包装体を提供する。【選択図】      図１
2004307003.tif 000002
【特許請求の範囲】
【請求項１】
透明樹脂からなる包装袋と腰のある樹脂板との組み合わせからなる包装体であって、該樹脂板の少なくとも一個の所定箇所に凹部を設け、該凹部に円柱状物品を収納すると共に、凹部内で同物品の円周方向の位置決めを行い、該樹脂板を包装袋内に変形挿入させ円柱状物品を把持包装することを特徴とする物品包装体。
【請求項２】
前記腰のある樹脂板の幅方向寸法が、包装時対応する包装袋の幅方向寸法よりも大きくなっている請求項１に記載の物品包装体。
【発明の詳細な説明】
【０００１】
【発明の属する技術分野】
本発明は、食品、医薬品、化粧品、文房具、或いはその他小物物品等の包装に関し、商品の陳列上、中の商品を体裁よく印刷柄などの正面を見せることにより、商品価値を上げたいような場合に用いられる包装体に関する。
【０００２】
【従来の技術】
従来、このような包装体としてはブリスターケースによる包装体があった（例えば特許文献１、特許文献２）。これらブリスターケースでは、ＰＥＴ樹脂等の熱可塑性透明樹脂板に真空金型成型加工により円筒型乾電池の収納部を成型したトレー状容器を台紙に貼り付ける方式のものであった。ブリスターケースに設けられるトレー状容器内の各電池は夫々、容器部底面の円弧状凹溝列に形状適合状態に嵌着する共に、乾電池の突起状の正極端子側の容器側面には、その正極端子の突起を嵌入させる収納凹部を形成し、負極端子側の容器側面には、その負極端子側の外装筒端をトレー状容器の開口端側から係止して保持する凸部を形成し、収納された乾電池は上記凹部と上記凸部によって両端を係止・保持されることにより、輸送等の取り扱い中に勝手に回転しないように確実に保持される。（例えば特許文献１）
【０００３】
更に、収納部材の収納凹部内に円筒状被包装物を収納し、該円筒状被包装物の位置ずれを防止できるように、一面にホットメルト接着剤を塗布した封着部材の接着剤面に収納部材を重合すると共に、各乾電池に当接する封着部材の接着剤面を加熱圧着することにより各乾電池の固定を行っている。（例えば特許文献２）
【０００４】
【特許文献１】
特開２００２−３４３３２１号公報
【特許文献２】
特開平９−２５５０３０号公報
【０００５】
【発明が解決しようとする課題】
特許文献１に記載のように、トレー状容器に凹凸を設けるには真空金型成型加工において、複雑な形状に加工する必要があり、コスト面で不利となっている。
それに対して特許文献２に記載の発明では、商品である乾電池を直接接着すること、封着部材の一面前面に接着剤層を設ける必要があること、又、各乾電池の接着が外れた場合は外部から修正しようが無く見苦しい状態になるとい問題もあった。
【０００６】
又、上記２件の特許文献に記載のブリスターケースにあっては、何れも台紙に紙を使用し、ケースには透明樹脂板を使用するので、廃棄処分するには紙と樹脂に分別処分しなければいけないという事情もあった。
【０００７】
本発明は、乾電池に限らず化粧品等の円柱状物品を収納する包装体であって、収納物品の円周方向の位置決めを容易に行え、コストの掛からない物品包装体を提供することを目的とする。
【０００８】
【課題を解決するための手段】
本発明は、透明樹脂からなる包装袋と腰のある樹脂板との組み合わせからなる包装体であって、該樹脂板の少なくとも一個の所定箇所に凹部を設け、該凹部に円柱状物品を収納すると共に、凹部内で同物品の円周方向の位置決めを行い該樹脂板を包装袋内に変形挿入させ円柱状物品を把持包装するすることを特徴とする。
【０００９】
次に、前記腰のある樹脂板の幅方向寸法が、包装時に対応する包装袋の幅方向寸法よりも大きくなっていることを特徴とする。
【００１０】
【発明の実施の形態】
以下、実施例を参照しながら本発明の実施形態について、例を上げて具体的に説明しその内容を詳細に開示する。
例えば、図１に示すように円柱状物品３を包装した包装体１０は、腰のある樹脂板２に設けられた凹部６に、円柱状物品３を収納すると共に、円柱状物品３の円周方向の位置決めを行い、腰のある樹脂板３を変形した状態で包装袋１内に収納したものである。
【００１１】
包装袋１は、透明樹脂のフイルムやシート等から形成されたもので、適宜印刷による絵柄、データ等が表示されていても良いし、全く絵柄等の無い無地の袋であっても良い。又、素材的には熱収縮性があっても無くても腰のある樹脂板２の変形に耐える強度を有するものであれば適用可能である。勿論、包装体としては熱収縮包装体であっても良いが、好ましくはストレッチ包装体であるほうが、中味の商品の見栄えが良いので望ましい。適用可能な材質としては、ＰＰ、ＰＥ、ＰＥＴ、ＰＳ、ＰＶＣ等その他一般に透明包装材料として使用される樹脂材料であれば適用可能である。
【００１２】
腰のある樹脂板２は、幾らの腰の強さがあれば良いかと云う数字的な限定はないが、包装される円柱状物品３の大きさ、重量等を配慮した上で、樹脂板２に設けられた凹部６の包装袋１内での変形状態で円柱状物品３を把持し位置決めが保障できる把持強さがあれば適用可能である。勿論、このときの把持する強さは、包装袋１の内部応力への反力として発生するものであるから、包装袋１もその強度に耐えるものが要求される。
凹部６は、前以って樹脂板２に成型する必要があり、適宜加工方法で成型すれば良い。例えば金型を用いる真空成形で成型する場合であっても金型の形状は単純な凹形状であれば良いので型代、加工手順においても簡単容易に可能である。
【００１３】
包装される円柱状物品３の円周方向の位置決めは、該円柱状物品３を樹脂板２の凹部に収納した状態で保持しながら、外部の駆動装置で回転する円盤或いは円筒状ローラ（不図示）の外周を円柱状物品３に接触させ、回転させながら所定位置に停止させ、樹脂板２を変形するように把持する把持ハンド（不図示）で把持し、その状態で包装袋１の中へ挿入する。このとき、樹脂板２の幅方向寸法（円柱状物品３の円形断面方向）は、包装袋１の寸法よりも大きくしてあり、この寸法差によって発生する樹脂板２の変形による反発力で位置決めされた円柱状物品３を確実に把持し包装する。
【００１４】
樹脂板２に設ける凹部６は、一個であっても複数個であっても可能であるし、ヘッダー４もあっても無くても可能である。ヘッダー４を設けると店頭への吊り下げ展示等可能となり好ましい。
【００１５】
【具体的実施例】
次に具体的実施例について、図３〜図７に基づいて詳細を説明する。図３に示すのは、乾電池１１であり、その胴体の表面にはＡＢＣのように商品の商標、ブランドなどを印刷表示している。この乾電池１１を４本単位で包装し吊り下げ状態で店頭に展示できる包装体１３を図７に示す。包装体１３は、本発明に基づく包装袋１２と腰のある樹脂板１４を用いて乾電池１１の円周方向の位置決めを行い見栄え良く包装したものである。乾電池１１の寸法は、円筒部の外形は１４ｍｍで長さは５０ｍｍである。樹脂板１４として、ＰＰ樹脂の厚み０．４ｍｍ、凹部１５の寸法は、幅１４．５ｍｍ×深さ１０ｍｍ、樹脂板全体の縦横寸法は、縦  ５０ｍｍ×横１５４ｍｍ（成型後寸法７７ｍｍ）である。
【００１６】
包装袋１２は、ＰＰ樹脂の厚み０．０５ｍｍのフイルムから幅７８ｍｍの包装袋１２を作成した。この包装袋１２には乾電池１１を包装した後、ヘッダー１６として少し厚手の樹脂シートからなり中央部に吊り下げ穴１７を有する吊り下げ部材を貼り付けた。
【００１７】
袋入れ手順としては、先ず前以って樹脂板１４を成型加工により図４、図５に示すように乾電池１１の寸法に合せた所定の寸法の凹部１５を形成する。次に包装機械（不図示）では、テーブルの上に凹部１５を有する樹脂板１４を立てた状態に保持し、樹脂板１４の凹部１５へ乾電池を夫々挿入すると共に把持する。続いて別途駆動回転する回転円盤（不図示）の外周を乾電池１１の外周に接触させる。このとき、乾電池一個づつ各々に回転円盤を接触させるが、乾電池が回転するタイミングでは、把持する状態から保持する状態（乾電池１１が凹部内で自由に回転可能であり、凹部から脱落しない状態）に切り替え、乾電池の回転をスムースに行う。乾電池１１の所定方向で停止し、位置決め完成後、再度把持した状態で、開口している包装袋１２へ挿入する。包装袋１２には、ヘッダー１６を設け、ヘッダー１６の中央部には適宜吊り下げ用穴１７をを設けている。
【００１８】
完成した包装体１３は、包装袋１２と樹脂板１４とがバランスする状態で、乾電池１１を確実に把持し包装している。乾電池１１の４個の向きも一定で見栄えも良くコスト低減効果が期待できる。
【００１９】
【発明の効果】
本発明の包装体は、包装する中味の円柱状物品の方向性を特定できるので、包装したものの見栄えが良くなり、店頭での展示も効果的に行うことが可能になる。又、包装材料、袋のコストも安くできる。
【００２０】
【図面の簡単な説明】
【図１】本発明の包装体の正面図である。
【図２】本発明の包装体の断面図である。
【図３】実施例の乾電池の説明用斜視図である。
【図４】実施例の樹脂板の断面図である。
【図５】実施例の樹脂板の正面図である。
【図６】実施例の包装袋の説明用斜視図である。
【図７】実施例の包装体の正面図である。
【符号の説明】
１      包装袋
２      樹脂板
３      円柱状物品
４      ヘッダー
６      凹部
１０    包装体
【図１】
2004307003.tif 000003
【図２】
2004307003.tif 000004
【図３】
2004307003.tif 000005
【図４】
2004307003.tif 000006
【図５】
2004307003.tif 000007
【図６】
2004307003.tif 000008
【図７】
2004307003.tif 000009